(57)【要約】【課題】  電池の脱落や電池ケースの脱落等の電池の収納部に起因する保安灯の動作への支障を、従来例に比して著しく低減することができる保安灯の提供を課題とする。【解決手段】  電池Ｂ１，Ｂ２を直線状に並べて収納する電池ホルダー５０には仕切板５２が配設されており、電池Ｂ１，Ｂ２は、それぞれ１本ずつスプリングバネＡ１，Ａ２によって弾性的に支持される。有底円筒状の電池ケース６０の上方の開口部の周縁部には複数個の係合突起部６１が配設されており、この係合突起部６１をバネ板部材４０の切欠部４３に挿入して、電池ケース６０を所定方向に回動させると、電池ケース６０はロック状態になる。【選択図】  図２
0003208460.tif 000002
【実用新案登録請求の範囲】
【請求項１】
道路の工事現場等で使用される円錐台形状で頂面部の中央に円形の透孔部を有するカットコーンに装着される発光体と発光制御装置と電源とを内蔵した保安灯であって、ガードレールや金属製パイプ等の資材にも装着可能な保安灯において、
当該保安灯は、前記カットコーンの頂面部上に載置可能な円盤状の基板部と、該基板部の中央部に下方に延在するように配設されて前記電源を構成する電池を収納し前記基板部の底面側に着脱自在に係合する有底円筒状の電池ケースと、前記基板部上に配設された光が透過可能な材料からなり前記発光体を内蔵している発光部とからなり、
前記基板部の底面側の中央には前記有底円筒状の電池ケース内に収納可能であり、且つ、前記電池を係止して当該電池を前記発光制御装置に接続する電池ホルダーが配設され、
該電池ホルダーは、複数個の電池を直線状に並べて係止する形状に構成され、当該直線状に配置される複数個の電池の相隣接する電池間にはそれぞれ仕切板が配設されており、前記複数個の電池の各電池は、前記電池ホルダーの端面部および前記仕切板または２枚の前記仕切板とバネ部材とによって弾性的に支持されていることを特徴とする保安灯。
【請求項２】
道路の工事現場等で使用される円錐台形状で頂面部の中央に円形の透孔部を有するカットコーンに装着される発光体と発光制御装置と電源とを内蔵した保安灯であって、ガードレールや金属製パイプ等の資材にも装着可能な保安灯において、
当該保安灯は、前記カットコーンの頂面部上に載置可能な円盤状の基板部と、該基板部の中央部に下方に延在するように配設されて前記電源を構成する電池を収納し前記基板部の底面側に着脱自在に係合する有底円筒状の電池ケースと、前記基板部上に配設された光が透過可能な材料からなり前記発光体を内蔵している発光部とからなり、
前記基板部の底面側の中央には前記有底円筒状の電池ケース内に収納可能であり、且つ、前記電池を係止して当該電池を前記発光制御装置に接続する電池ホルダーが配設され、
前記有底円筒状の電池ケースの上部の開口部の周縁部には周辺方向に延在するように複数個の係合突起部が配設され、
前記基板部の底面側には、前記複数個の係合突起部を有する前記電池ケースの上部が挿入可能な透孔部および切欠部を有するバネ板部材が配設され、当該バネ板部材と前記基板部の底面との間に前記電池ケースの係合突起部が回動可能な空間が形成されるように前記基板部の底面側には円形溝部が形成され、前記電池ケースの前記係合突起部は、前記バネ板部材に形成されている複数個の板バネ部によって前記基板部の底面に弾性的に当接した状態で係止状態となることを特徴とする保安灯。
【請求項３】
前記基板部の底面には、前記バネ板部材の前記切欠部に挿入された前記電池ケースの前記係合突起部が所定方向に所定距離移動し前記板バネ部によって弾性的に前記基板部の底面に当接する状態となる位置で、前記係合突起部の側端部に当接して当該係合突起部のそれ以上の移動を規制する停止用突起が配設されていることを特徴とする請求項２に記載の保安灯。
【請求項４】
前記電池ケースの係合突起部の一方の側端部が前記停止用突起に当接した位置において、当該停止用突起に当接した係合突起部の他方の側端部に係合し前記停止用突起と共働して前記係合突起部の移動を規制する係止部材が前記基板部の底面に配設されていることを特徴とする請求項３に記載の保安灯。
【請求項５】
前記係止部材は、押圧することにより、前記係合突起部の側端部との係合状態が解除される方向に前記係止部材が移動する解除ボタンを具えていることを特徴とする請求項４に記載の保安灯。
【考案の詳細な説明】
【技術分野】
【０００１】
本考案は、道路の工事現場等に配置される円錐台形状のカットコーンに装着される他、工事現場等で使用される資材等にも装着可能な保安灯に関するものである。
【背景技術】
【０００２】
従来から、夜間の工事現場などの暗い工事現場に配置する円錐台形状のカットコーンには、図９に示すような保安灯１をカットコーン２の上部に装着して、カットコーン２の視認性を高めている。
【０００３】
この保安灯１は、その内部に電池，発光体，発光制御装置等を具え、その発光体を発光させて周囲に光を放射することによって、暗い場所での視認性を高めるものである。
【０００４】
このような保安灯１は、図１０に示したような円形の透孔部２ａが形成されているカットコーン２の頂面部に装着されている。
【０００５】
保安灯１は、図１０に示したように、カットコーン２の透孔部２ａに嵌入可能な円柱状の挿入部１２と、この円柱状の挿入部１２の径よりも大きな径の円盤状の基板部１１ａを有する発光部１１とによって構成されている。
【０００６】
挿入部１２には凸部１２ａが配設されており、この凸部１２ａをカットコーン２の頂面部に形成されている凹部２ｂの位置に合わせて挿入部１２を透孔部２ａからカットコーン２の内部に挿入し、その後、保安灯１全体を少しだけ回転させておけば、カットコーン２が何らかの原因で倒れた場合でも、保安灯１がカットコーン２から外れることを防ぐことができる。
【０００７】
このようなカットコーン２に装着される保安灯１は、図１１に示すような保安灯固定用ネジ３ａと資材固定用ネジ３ｂとを有する専用の取付器具３を使用することにより、図１２（ａ）に示すようにガードレールＧや、図１２（ｂ）に示すように建設現場の足場等に使用される金属製パイプ（単管）Ｐにも取り付けて使用することができる。
【０００８】
発光部１１の内部には、図１３に示したような構成の発光装置が配設されている。図１３において、２２は電源装置であり、電源装置２２は太陽電池２１から出力される電力を充放電可能な電池Ｂに蓄電するとともに、電池Ｂから出力される電力を発光制御装置２５やＬＥＤ等の発光体２４に供給する。Ｓは点灯スイッチである。
【０００９】
発光制御装置２５は、点灯スイッチＳが「ＯＮ」状態で作動状態になり、電源装置２２から供給される電力を用いて発光体２４の点滅を制御する。ここで、発光制御装置２５や電源装置２２の構成は、本願出願人が、「ソララ（登録商標）電波セレナイト」の名称で既に販売しているカットコーン用の保安灯に使用されている発光制御装置や電源装置と同様の構成である。
【００１０】
以上のような構成の従来の保安灯１においては、太陽電池２１によって発生する電力を電池Ｂに蓄電する構成となっているので、長期間に亘って保安灯１は作動可能状態を維持することができる。
【００１１】
しかしながら、曇りの日が続く等の原因で太陽電池２１から出力される電力量が低下すると、電池Ｂに蓄電されている電力量が低下して保安灯の作動は停止する。このような状態になった場合には、保安灯１に収納されている電池Ｂを、他の場所で十分に充電した電池に取り替えることにより、保安灯１は通常の作動可能状態を維持することができる。
【００１２】
このように充電済の新たな電池と交換する必要が生じた場合、従来例においては、図１４に示したように、挿入部１２の底部に係止している蓋部材１３を回動させて挿入部１２から外し、挿入部１２の内部に収納してある電池ホルダー１４を挿入部１２から取り出し、収納してある電池を充電済みの新しい電池に交換するという構成になっている。
【００１３】
ここで、蓋部材１３には、挿入部１２の底部に形成されている雌ネジ部と螺合する雄ネジ部や、図１５に示したような挿入部１２の底部に形成されている突条１２ｄと係合する凸部のような回動させることにより挿入部１２の底部に着脱自在に係止する係合部１３ａが配設されている。
【００１４】
なお、電池ホルダー１４は、挿入部１２の内部においては図１５に示したように、挿入部１２に形成されている凹部１２ｂと２つの支持脚１２ｃとによって支持されている。また、挿入部１２の底部に係止している蓋部材１３と、反対側の発光部１１の基板部１１ａ（図１４参照）とによって電池ホルダー１４は挟持される。このように、電池ホルダー１４が蓋部材１３および底面部１１ａに挟持された状態で、電池ホルダー１４に収納されている電池と発光部１１内に配設されている電源装置２２（図１３参照）との電気的接続が保たれる構成となっている。
【考案の概要】
【考案が解決しようとする課題】
【００１５】
以上のように構成された従来例においては、電池ホルダー１４に収納されている電池Ｂを交換する場合には、挿入部１２の底部に係止している蓋部材１３を回動させて外してから挿入部１２の内部の電池ホルダー１４を挿入部１２から取り出して、収納されている電池を交換する必要がある。
【００１６】
通常、このような電池の交換作業は、カットコーンの設置されている道路上などの屋外で、作業員が立った状態で行なわれる。
【００１７】
作業員は、このような電池の交換作業を行う場合には、図１６（ａ）に示したように、カットコーン２から外した保安灯１の挿入部１２を片手Ｈ２で持ち、もう一方の手Ｈ１で蓋部材１３を持った状態で電池ホルダー１４に収納されている電池Ｂ１，Ｂ２の取り替え作業を行なう。この際、作業員は電池ホルダー１４を指で摘んだ状態で電池交換の作業を行なうこととなり、作業員の手Ｈ１から蓋部材１３が落下して道路上に落ちてしまうという事態がしばしば起こる。
【００１８】
このような事態が起こった場合、蓋部材１３は小さく軽量であるために、道路上を転がって側溝に入ってしまったり、走行中の車に当って弾かれてしまったりして紛失してしまうことが度々あった。
【００１９】
以上のようにして蓋部材１３が紛失した場合（図１６（ｂ）参照）、新しい電池を収納した電池ホルダーを挿入部１２の内部に固定することができないので、このような場合には、保安灯自体が使用不能となってしまうという問題点があった。
【００２０】
すなわち、従来の保安灯は、電池交換時に蓋部材を紛失しやすくて、そのような場合には保安灯自体が使用不能状態になってしまうといった問題点があった。
【００２１】
また、電池交換時に蓋部材を紛失しなくても、工事現場等で使用される保安灯においては、強い衝撃力が加わることがあり、このような強い衝撃力が加わった場合、蓋部材１３自体が回動して外れ、保安灯自体の作動が停止してしまうという問題点もあった。
【００２２】
さらに、従来の保安灯においては、ＬＥＤ等の発光体２４の定格や、点灯時間等の使用条件などから、複数個の電池を直列接続して使用するように設計した場合でも、図１６（ａ）に示したように、複数本の電池Ｂ１，Ｂ２を横に並べて配設するように構成されている。その理由は、通常の直列接続のように、すなわち図１７（ａ）に示したように、複数本の電池Ｂ１，Ｂ２を直線状に配設する構成の電池ホルダー１５を用いた場合には、単なる平面である電池Ｂ１のマイナス極と電池Ｂ２のプラス極という滑り易い接触部分に、保安灯が使用されている工事現場等で強い衝撃力が加わったときなど、図１７（ｂ）に示したように、電池Ｂ１と電池Ｂ２との接触部分で電池Ｂ１または電池Ｂ２が動いてしまい電気的接触状態が保てなくなって保安灯自体の作動が停止してしまう虞があるからである。
【００２３】
このため、従来の保安灯の電池ホルダーにおいては、電池を複数本直列接続で使用する場合でも、図１６（ａ）に示したように複数本の電池を横に並べて配設するように構成されている。
【００２４】
従って、従来の保安灯においては、複数本の電池を使用する構成とした場合には、その複数個の電池を横に並べて配設していたので、電池ホルダーの幅によって挿入部の径が規制されることになり、この挿入部の径による規制が、保安灯の設計やデザイン等の自由度を制限していた、という問題点もあった。
【課題を解決するための手段】
【００２５】
以上の問題点を解消するために本考案の第１の手段は、道路の工事現場等で使用される円錐台形状で頂面部の中央に円形の透孔部を有するカットコーンに装着される発光体と発光制御装置と電源とを内蔵した保安灯であって、ガードレールや金属製パイプ等の資材にも装着可能な保安灯において、当該保安灯は、前記カットコーンの頂面部上に載置可能な円盤状の基板部と、該基板部の中央部に下方に延在するように配設されて前記電源を構成する電池を収納し前記基板部の底面側に着脱自在に係合する有底円筒状の電池ケースと、前記基板部上に配設された光が透過可能な材料からなり前記発光体を内蔵している発光部とからなり、前記基板部の底面側の中央には前記有底円筒状の電池ケース内に収納可能であり、且つ、前記電池を係止して当該電池を前記発光制御装置に接続する電池ホルダーが配設され、該電池ホルダーは、複数個の電池を直線状に並べて係止する形状に構成され、当該直線状に配置される複数個の電池の相隣接する電池間にはそれぞれ仕切板が配設されており、前記複数個の電池の各電池は、前記電池ホルダーの端面部および前記仕切板または２枚の前記仕切板とバネ部材とによって弾性的に支持されていることを特徴とするものである。
【００２６】
また、以上の問題点を解消するために本考案の第２の手段は、道路の工事現場等で使用される円錐台形状で頂面部の中央に円形の透孔部を有するカットコーンに装着される発光体と発光制御装置と電源とを内蔵した保安灯であって、ガードレールや金属製パイプ等の資材にも装着可能な保安灯において、当該保安灯は、前記カットコーンの頂面部上に載置可能な円盤状の基板部と、該基板部の中央部に下方に延在するように配設されて前記電源を構成する電池を収納し前記基板部の底面側に着脱自在に係合する有底円筒状の電池ケースと、前記基板部上に配設された光が透過可能な材料からなり前記発光体を内蔵している発光部とからなり、前記基板部の底面側の中央には前記有底円筒状の電池ケース内に収納可能であり、且つ、前記電池を係止して当該電池を前記発光制御装置に接続する電池ホルダーが配設され、前記有底円筒状の電池ケースの上部の開口部の周縁部には周辺方向に延在するように複数個の係合突起部が配設され、前記基板部の底面側には、前記複数個の係合突起部を有する前記電池ケースの上部が挿入可能な透孔部および切欠部を有するバネ板部材が配設され、当該バネ板部材と前記基板部の底面との間に前記電池ケースの係合突起部が回動可能な空間が形成されるように前記基板部の底面側には円形溝部が形成され、前記電池ケースの前記係合突起部は、前記バネ板部材に形成されている複数個の板バネ部によって前記基板部の底面に弾性的に当接した状態で係止状態となることを特徴とするものである。ここで、前記基板部の底面には、前記バネ板部材の前記切欠部に挿入された前記電池ケースの前記係合突起部が所定方向に所定距離移動し前記板バネ部によって弾性的に前記基板部の底面に当接する状態となる位置で、前記係合突起部の側端部に当接して当該係合突起部のそれ以上の移動を規制する停止用突起が配設されていてもよい。さらに、前記電池ケースの係合突起部の一方の側端部が前記停止用突起に当接した位置において、当該停止用突起に当接した係合突起部の他方の側端部に係合し前記停止用突起と共働して前記係合突起部の移動を規制する係止部材が前記基板部の底面に配設されていてもよい。さらに、前記係止部材は、押圧することにより、前記係合突起部の側端部との係合状態が解除される方向に前記係止部材が移動する解除ボタンを具えていてもよい。
【考案の効果】
【００２７】
本考案によれば、電池の脱落や電池ケースの脱落等の電池の収納部に起因する保安灯の動作への支障を、従来例に比して著しく低減することができる保安灯を提供することができる。
【図面の簡単な説明】
【００２８】
【図１】本考案の実施例１の外観構成を示す斜視図である。
【図２】本考案の実施例１の構成を示す分解斜視図である。
【図３】本考案の実施例１の内部の構成を示す斜視図である。
【図４】本考案の実施例１の動作の説明図である。
【図５】本考案の実施例１の動作の説明図である。
【図６】本考案の実施例１の動作の説明図である。
【図７】本考案の実施例１の動作の説明図である。
【図８】本考案の実施例１の動作の説明図である。
【図９】従来の保安灯の説明図である。
【図１０】従来の保安灯の外観構成を示す斜視図である。
【図１１】従来の保安灯の使用方法の説明図である。
【図１２】従来の保安灯の使用方法の説明図である。
【図１３】従来の保安灯の発光装置の構成図である。
【図１４】従来の保安灯の構成を示す分解斜視図である。
【図１５】従来の保安灯の構成の説明図である。
【図１６】従来の保安灯の構成の説明図である。
【図１７】従来の保安灯の構成の説明図である。
【考案を実施するための形態】
【００２９】
以下、図面を用いて本考案の実施例を説明する。
【実施例１】
【００３０】
図１は本考案の実施例１の外観構成を示す斜視図、図２はその分解斜視図である。
【００３１】
本実施例１は、図１に示したように、カットコーンの頂面部（図１０参照）に載置可能な円盤状の基板部３０と、光が透過可能な材料からなり発光体を内蔵している発光部１１と、電池を収納している電池ケース６０とによって構成されている。この発光体を内蔵している発光部１１と、発光制御装置を含む図１３に示した発光装置の構成は、先に説明した従来例と同様の構成であるので、その説明は省略する。
【００３２】
電池ケース６０は有底円筒形状に形成されており、その内側には図２に示したように、電池Ｂ１，Ｂ２を係止する電池ホルダー５０が配設されている。この電池ホルダー５０は、点灯スイッチＳを有する発光部１１内の発光制御装置と電気的に接続されている。
【００３３】
電池ホルダー５０は、図３に示すように、基板部３０に固定されており、２本の電池を直線状に並べて配置するように構成されている。図２に示すように、電池ホルダー５０の内側には仕切板５２が配設されており、電池Ｂ２は、スプリングバネＡ２の弾性力によって、電池ホルダー５０の下方の端面部５１と仕切板５２とによって弾性的に支持される。電池Ｂ１も同様に、スプリングバネＡ１の弾性力によって、電池ホルダー５０の上方端面部と仕切板５２とによって弾性的に支持される。
【００３４】
このように、本実施例１では、各電池がそれぞれ１本ずつ電池ホルダー５０によって支持される構成となっているので、複数個の電池を直線状に並べて配置したとしても、従来例と同様の電池に対する支持力を維持することができる。
【００３５】
なお、本実施例１の電池ホルダー５０においては電池を２本収納する構成としてあるが、例えば、電池を３本直線状に並べて収納する構成とした場合には、仕切板を２枚配設すれば、電池が２本のときと同様の支持力を得ることができる。さらに、このように電池を直線状に並べて配置する構成とした場合でも、極板のリード線の配線の仕方によっては、２本の電池を電気的に並列接続にして使用することもできる。
【００３６】
このように、本実施例１においては、複数個の電池を直線状に並べて配置する構成としてあるので、複数本の電池を収納する場合、従来例の電池ケースの径に比して小さな径の電池ケースを使用することができる。このため、従来例に比して、保安灯の設計やデザインをする際の自由度を高めることができる。
【００３７】
次に、基板部３０の底面側に着脱自在に係合する電池ケース６０について説明する。
【００３８】
図２に示したように、電池ケース６０は有底円筒状の形状に形成されており、その上部の開口部の周縁部には周辺方向に延在するように複数個の係合突起部６１が配設されている。
【００３９】
一方、基板部３０の底面側には、図３に示したように、複数個の板バネ部４１が形成されているバネ板部材４０が配設されている。このバネ板部材４０の中央部には、係合突起部６１を有する電池ケース６０の上部が挿入可能な透孔部４２と切欠部４３が形成されている。
【００４０】
このバネ板部材４０と対向している基板部３０の底面側には、基板部３０の底面とバネ板部材４０との間に、バネ板部材４０の切欠部４３に挿入された電池ケース６０の係合突起部６１が回動可能となる空間が形成されるように円形溝部が形成されている。この基盤部３０の底面側の円形溝部には、後に詳述する図５に示したような停止用突起３１と係止部材３２とが配設されている。
【００４１】
以上のように構成された本実施例１においては、図２に示した状態から電池ケース６０の係合突起部６１を、バネ板部材４０の切欠部４３の位置に合わせてバネ板部材４０内に挿入して所定方向に回動させることによって電池ケース６０を基板部３０の底面側に係止させる。すなわち、図４（ａ）に示したように、係合突起部６１をバネ板部材４０の切欠部４３からバネ板部材４０内に挿入し、図４（ｂ）に示したように所定方向に回動させて、係合突起部６１の側端部が停止用突起３１に当接した状態で、電池ケース６０は基板部３０の底面側に係止する。この係合突起部６１の側端部が停止用突起３１に当接した状態において、バネ板部材４０の板バネ部４１が係合突起部６１を基板部３０側に押圧するように板バネ部４１は配設されている。
【００４２】
このように、本実施例１においては、電池ケース６０が基板部３０に係止した状態においては、電池ケース６０の係合突起部６１が板バネ部４１と基板部３０とによって弾性的に挟持される構成としてあるので、保安灯を運搬する等の通常の振動を保安灯に与えたとしても電池ケース６０が基板部３０から外れることはない。
【００４３】
ここで、本実施例１においては、基板部３０の底面側に、図５（ａ）〜（ｃ）に示したような係止部材３２が配設されている。
【００４４】
図５（ａ）〜（ｃ）に示したように、係止部材３２は、鋸歯状部３２ａと解除ボタン３２ｂを具えた係止部材であり、スプリングバネＡ３，Ａ４によって基板部３０の底面側に弾性的に支持されているものである。
【００４５】
この係止部材３２は、図５（ａ）に示したように、係合突起部６１が停止用突起３１方向に移動しているときは、鋸歯状部３２ａの斜面側に当接している係合突起部６１の移動に従ってスプリングバネＡ３，Ａ４の弾性力に抗して上方に移動する。
【００４６】
そして、係合突起部６１が停止用突起３１に当接して係止状態となると、図５（ｂ）に示したようにスプリングバネＡ３，Ａ４によって下方に移動し、鋸歯状部３２ａの端部が停止用突起３１と共働して係合突起部６１の移動を規制する。すなわち、ロック状態にする。
【００４７】
この状態で、使用者が図５（ｃ）に示したように解除ボタン３２ｂを押してロック状態を解除し、係合突起部６１を停止用突起３１から離れる方向に移動させない限りロック状態は維持される。
【００４８】
このように本実施例１においては、使用者が故意に電池ケース６０を外さない限り、例え強い衝撃力が加わったとしても電池ケース６０が基板部から外れることはない。
【００４９】
以上のように構成された本実施例１においては、電池ケース６０を基板部に装着する際には、図６（ａ），（ｂ）に示したように、係合突起部６１を切欠部４３の位置に合わせて挿入して、所定方向に停止するまで回動させれば、自動的にロック状態となる。
【００５０】
電池ケース６０を基板部から外す場合には、図７（ａ）〜（ｃ）に示したように、解除ボタン３２ｂを押した状態で電池ケース６０を回動させて、係合突起部６１が切欠部４３の位置に来たときに電池ケース６０を引き抜けば電池ケース６０を簡単に外すことができる。
【００５１】
また、収納されている電池を交換する場合には、図８に示したように、電池ケース６０を外して、電池ケース６０と基板部３０という２体の構成部品を両手のそれぞれの手Ｈ１，Ｈ２で確実に握った状態で電池Ｂ１，Ｂ２の交換作業を行うことができる。すなわち、本実施例１においては、比較的大きな２体の構成部品を確実に握った状態で電池交換作業を行うことができる。
【符号の説明】
【００５２】
１  保安灯
２  カットコーン
２ａ，４２  透孔部
２ｂ  凹部
１１  発光部
１１ａ，３０  基板部
１２  挿入部
１２ａ，１３ａ  凸部
１２ｂ  凹部
１２ｃ  支持脚
１２ｄ  突条
１３  蓋部材
１４，１５，５０  電池ホルダー
２１  太陽電池
２２  電源装置
２４  発光体
２５  発光制御装置
３１  停止用突起
３２  係止部材
３２ａ  鋸歯状部
３２ｂ  解除ボタン
４０  バネ板部材
４１  板バネ部
４３  切欠部
５１  端面部
５２  仕切板
６０  電池ケース
６１  係合突起部
Ａ１〜Ａ４  スプリングバネ
Ｂ，Ｂ１，Ｂ２  電池
Ｈ１，Ｈ２  手
Ｓ  点灯スイッチ
【図１】
0003208460.tif 000003
【図２】
0003208460.tif 000004
【図３】
0003208460.tif 000005
【図４】
0003208460.tif 000006
【図５】
0003208460.tif 000007
【図６】
0003208460.tif 000008
【図７】
0003208460.tif 000009
【図８】
0003208460.tif 000010
【図９】
0003208460.tif 000011
【図１０】
0003208460.tif 000012
【図１１】
0003208460.tif 000013
【図１２】
0003208460.tif 000014
【図１３】
0003208460.tif 000015
【図１４】
0003208460.tif 000016
【図１５】
0003208460.tif 000017
【図１６】
0003208460.tif 000018
【図１７】
0003208460.tif 000019